(57)【特許請求の範囲】
【請求項１】
端末から通知された該端末での下りデータに対応するアプリケーションのタスク数を受信する受信手段と、
前記受信した下りデータに対応するアプリケーションのタスク数に基づいて、各端末に対し、前記データを送信するための分割された時間を割り当てる手段と、
を具備することを特徴とする基地局。
【請求項２】
該携帯通信端末における下りデータに対応するアプリケーションのタスク数を取得する取得手段と、
前記取得した下りデータに対応するアプリケーションのタスク数を基地局に送信する送信手段と、
を具備することを特徴とする携帯通信端末。
【請求項３】
端末から通知された該端末での下りデータに対応するアプリケーションのタスク数を受信する過程と、
前記受信した下りデータに対応するアプリケーションのタスク数に基づいて、各端末に対し、前記データを送信するための分割された時間を割り当てる過程と、
を有することを特徴とする携帯通信方法。
【発明の詳細な説明】
【０００１】
【発明の属する技術分野】
本発明は、端末側で予測した下りデータ通信速度でデータ通信する方式を採用する携帯通信システムの下りデータ送信方法を改善した基地局、携帯通信端末及び携帯通信方法に関する。
【０００２】
【従来の技術】
近年、次世代の高速無線通信方式としてcdma2000 1x-EV DO方式が開発されている。
上記cdma2000 1x-EV DO方式は、Qualcomm社によるcdma2000 1xの拡張方式であるHDR（High Data Rate）方式を標準化した方式として、電波産業会ARIBにおいてStd.T-64 1S-2000 C.S.0024“cdma2000 High Rate Packet Data Air Interface Specification"で標準化されているもので、現在国内ではKDDI社によりサービスされているcdmaOne方式（国内ではARIB T-53、北米、韓国等ではEIA/TIA/IS-95等）を拡張し、第３世代方式（３Ｇ）に対応させたcdma2000 1x方式を更にデータ通信に特化して通信速度を改善することを目的とした方式である。
なお、cdma2000 lx-EV DOにおいて、EVはEvolution、DOはData onlyの意である。
【０００３】
cdma2000 1x-EV DO方式では、携帯通信端末（以下、適宜「端末」と略記する）から受信した受信状態を通知する情報に基づいて、基地局が当該端末へ送信するデータの変調方式を切り替えることにより、当該端末の受信状態が良好な時は誤り耐性が低いが高速な通信レート、受信状態が悪いときは低速だが誤り耐性の高い通信レートを使用することが可能となっている。
この方式では、下りデータ通信速度は、従来のcdmaOne方式のように受信状態を示すＣＩＲ（搬送波対干渉比）の瞬時の値で単純に決定されるのではなく、予測や過去の下りデータ伝送の誤り率等の統計データによる補正等により変化する。すなわち、現在普及している通信方式であるＣＤＭＡでは、cdma2000 1x-EV DO方式のように、場所によるデータ通信速度の変化がそれほど顕著でないことから、受信状態等の判断も、基地局から受信するパイロット信号から求めたEc/Io（パイロット信号強度対全受信信号強度）、ＣＩＲ等の瞬時値に基づいて行う程度のものであった。
【０００４】
これに対し、cdma2000 1x-EV DO方式では、予測や過去の下りデータ伝送の誤り率等の統計データによる補正等を考慮して求められた極めて正確なデータ通信速度を直接的に示す予測下りデータ通信速度（ＤＲＣ；Data Rate Control Bit）をテーブルとして端末側が備え、このテーブルに基づいて、上記予測下りデータ通信速度を端末から前記基地局へ通知するようになっている。これにより、上記した種々の通信レートでのデータ通信が行われる。
【０００５】
また、cdma2000 1x-EV DO方式の下り方向（基地局から携帯通信端末への方向）では、時間を1/600秒単位（以下、「分割時間」あるいは「スロット」という）に分割し、その時間内では一つの携帯通信端末だけとの通信を行い、通信相手の携帯通信端末を時間により切り替えることにより複数の携帯通信端末と通信を行う、時分割多重アクセス（TDMA；time division multiplex access）を採用している。これにより、常に、個々の携帯通信端末に対して最大の電力を持ってデータ送信を行うことが可能となり、携帯通信端末間で行うデータ通信を最速の通信速度で行うことができる。
【０００６】
この時分割多重アクセスにおいて、基地局側は、通常、次のようにしてスロット毎に通信を行う携帯通信端末を決定（スケジューリング）するようになっている。図９は、携帯通信端末Ｘ、Ｙに基地局３００が下りデータを送信する例を示し、時間Ｔ１０、Ｔ１２では携帯通信端末Ｘに、時間Ｔ１１、Ｔ１３では携帯通信端末Ｙにデータを時分割多重で送信するものとする。ここで、下りデータの通信レートは、各端末Ｘ，Ｙから送信されるＤＲＣに基づき決定されるが、時間Ｔ１０〜Ｔ１３の間では両者のＤＲＣが等しいと仮定する。
【０００７】
このような仮定をした場合、各スロットへの各端末の割当ての時間変化は図１０に示すようになる。この図において、基地局３００は、各スロットに割当てる端末を次式により決定する。
ＤＲＣ／Ｒ（Ave）                                            （１）
ここで、Ｒ（Ave）は、各端末が直近１０００スロット分でそれぞれ受信したデータ通信レートの平均値を示す。例えば時間Ｔ１０において、基地局１０は、各端末Ｘ，Ｙから送信されたＤＲＣとＲ（Ave）とに基づき、各端末について式１による値を計算し、値の大きい方の端末に時間Ｔ１０で下りデータを送信する。例えば、Ｔ１０で端末Ｘにデータが送信されると、端末Ｙの時間Ｔ１０でのデータ通信レートは０になるので、その分、端末ＹのＲ（Ave）が小さくなる。つまり、次の割当て時間Ｔ１１においては、式１による値は端末Ｙの方が端末Ｘより大きくなるので、Ｔ１１では端末Ｙにスロットが割当てられ、下りデータが送信されることになる。このようにして、時間Ｔ１０〜Ｔ１３の間では端末Ｘ、Ｙに対して交互に（１：１で）スロットが割当てられ、送信されるデータ量も各端末で等しくなる。
【０００８】
以上の方法で各スロットに端末を割当てることで、基地局と接続されている各端末に公平に下りデータを送信することができ、１つの端末が基地局を占有する不具合が防止される。
【０００９】
【発明が解決しようとする課題】
しかしながら、上記した方法で各スロットに端末を割当てた場合、端末を有するユーザにとっては必ずしも利便性が良くなるとはいえなかった。つまり、端末側では所定のアプリケーションを起動させて上記下りデータを再生するわけであるが、例えば上記端末Ｘで複数のアプリケーションを立ち上げて複数の異なる下りデータを同時に再生したい場合、その分だけ基地局からダウンロードする下りデータ量も多くなる。一方、上記端末Ｙで１つのアプリケーションを立ち上げて１つの下りデータのみを再生したい場合、下りデータ量は少なくてもよい。
【００１０】
ところが、上記した従来技術では、このような端末毎の下りデータ再生状態を反映させたデータ送信を行うことはできない。例えば、上記図１０に示したように、端末Ｘ、ＹのＤＲＣが等しい場合、送信されるデータ量も両者で等しくなるので、端末の状態に応じて最適なスロット割当て（スケジューリング）を行うことができないのである。
【００１１】
本発明は、このような事情に鑑みてなされたもので、時分割多重で端末に下りデータを送信する際、端末側の下りデータ再生状態に応じて最適の時間割当てを行うことができる基地局、携帯通信端末及び携帯通信方法を提供することを目的とする。
【００１２】
【課題を解決するための手段】
上記目的を達成するために、本発明に係る基地局は、端末から通知された該端末での下りデータに対応するアプリケーションのタスク数を受信する受信手段と、前記受信した下りデータに対応するアプリケーションのタスク数に基づいて、各端末に対し、前記データを送信するための分割された時間を割り当てる手段と、を具備することを特徴とする。
このようにすると、各端末における下りデータ実行情報（アプリケーションの起動状態等）に応じて、基地局から各分割時間毎に下りデータを送信する端末を適切に割当てることができ、下りデータを実行する端末側の利便性が高まる。
【００１４】
本発明に係る携帯通信端末は、該携帯通信端末における下りデータに対応するアプリケーションのタスク数を取得する取得手段と、前記取得した下りデータに対応するアプリケーションのタスク数を基地局に送信する送信手段と、を具備することを特徴とする。
【００１８】
本発明に係る携帯通信方法は、端末から通知された該端末での下りデータに対応するアプリケーションのタスク数を受信する過程と、前記受信した下りデータに対応するアプリケーションのタスク数に基づいて、各端末に対し、前記データを送信するための分割された時間を割り当てる過程と、を有することを特徴とする。
【００１９】
【発明の実施の形態】
以下、図面を参照し、本発明の一実施形態について説明する。図１及び図２は、それぞれ本発明の携帯通信システム及び基地局のブロック構成図を示す。
【００２０】
図１において、携帯通信システム５０は、複数の基地局３０、３０Ａ、３０Ｂ…と、各基地局を管理する交換局４０とを含んで構成される。又、携帯通信システム５０は、交換局４０を介してインターネットや公衆網等のネットワーク８０に接続され、他の携帯通信システム（キャリア）６０や、後述の下りデータ（コンテンツ）を格納するサーバ７０等と情報のやりとりを行えるようになっている。各基地局３０、３０Ａ、３０Ｂ…には携帯通信端末Ａ，Ｂ等と無線通信を行うためのゾーンが割当てられ、交換局４０は、携帯通信端末が移動してゾーンが変わる毎に、対応する基地局への切換え処理を行うようになっている。
【００２１】
また、図２に示すように、基地局３０は、携帯通信端末と送受信を行うアンテナ３１、無線通信部（端末情報受信手段、送信手段）３３、制御部（端末決定手段）３５、通信履歴データベース３７、所定の回線により交換局と情報のやりとりを行うためのＩ/Ｆ（インターフェース）３９とを備える。
【００２２】
無線通信部３３は、アンテナ３１からの受信信号の周波数を基地局内部で使用する信号周波数へ変換し、所定の復調器で復調した後、時分割多重アクセス（TDMA；time division multiplex access）方式に従った受信制御を行うようになっている。又、アンテナ３１から送信する際は、上記と逆に、TDMAに従って信号を多重化し、所定の変調器で変調した後、送信周波数への変換を行う。制御部３５は、無線通信部３３が受信した端末からの下りデータ実行情報と、通信履歴データベース３７に格納された情報に基づいて、詳しくは後述する手順により各スロットで下りデータを送信する端末を決定する。通信履歴データベース３７は、この基地局３０からのデータの送信履歴、詳しくは、各スロット毎に割当てられた端末とそのときのデータ通信レートとを格納する。
【００２３】
また、図３は、cdma2000 1x-EV DO方式を採用した本発明の携帯通信システムに用いる携帯通信端末の構成例を示す図である。携帯通信端末は、アンテナ１、共用器３、復調器５、変調器１９からなるＲＦ部と、復号器７、予測器１１、後述のテーブルを格納するＣＩＲ−ＤＲＣ変換部１３、マルチプレクサ（ＭＵＸ；Multiplexer）１５からなるベースバンド処理部と、ＣＰＵ（端末情報取得手段、端末情報送信手段）９、後述するアプリケーション２１ａを含む各種情報を格納するメモリ２１、アプリケーションの起動状態を数値として計数するカウンタ２２、液晶ディスプレイ等からなる表示部２３、キーパッド、キーボード等の操作部２５を備えている。
また、当該携帯通信端末を無線モデムとして使用できるように、パーソナルコンピュータ（ＰＣ）２９との外部インターフェース（例えばシリアルポート、パラレルポート、ＵＳＢ、blue-tooth、赤外線通信、１０base-T LAN等）２７を備えている。
【００２４】
《cdma2000 1x-EV DO方式を採用した当該携帯通信端末の動作概要》
次に、上記構成からなる携帯通信端末について、cdma2000 1x-EV DO方式の動作概要を説明する。
携帯通信端末によって受信された基地局からの下りパイロット信号は、アンテナ１、共用器３を経由して復調器５により復調される。このとき、復調器５は、基地局から受信した受信信号の変調方式に対応する復調方式によって、ベースバンド帯域の受信信号から多重化信号を復調する。なお、本実施形態においては、ＱＰＳＫ（quadriphase phase shift keying）、８ＰＳＫ（８ phase shift keying）、１６ＱＡＭ（１６ amplitude modulation）の３種のいずれかの復調方式によって復調を行う。
【００２５】
復調器５によって復調された受信データは、復号器７へ出力され、復号器７によって復号処理される。即ち、スペクトル拡散されている受信多重化信号をスペクトル逆拡散する。
ここで、自局に割り当てられた受信データ（例えば、通話相手からの通話信号やダウンロードを希望したデータ等）があった場合には、受信データは復号器７からＣＰＵ９へ出力される。この受信データは、ＣＰＵ９内において処理されるか、又はＣＰＵ９及び外部インターフェース２７を経由して外部のＰＣ等２９へ送られる。
更に、復号器７は復号処理の過程において、Ec/Io（パイロット信号強度対全受信信号強度)を求め、以下に示す（２）式に基づいてＣＩＲ（搬送波対干渉比）を算出する。
ＣＩＲ=(Ec/lo)/(１-Ec/lo)                                    （２）
【００２６】
上述の式に基づいて求められたＣＩＲは、復号器７から予測器１１に出力され、予測器１１において、次の受信スロットタイミング(ここで、1スロットは1.66ms=1/600秒)におけるＣＩＲの値が予測される。
ここでの予測の方法については、特に限定しないが、線形予測等の方法が例として挙げられる。
また、上記予測器１１が何スロット後のＣＩＲを予測すればよいかを指示する情報は、当該携帯通信端末の電源オン時に基地局から送信されてくる種々の制御信号に含まれている。
そして、予測器１１によって求められた予測ＣＩＲは、続くＣＩＲ−ＤＲＣ変換部１３へ出力される。
【００２７】
ＣＩＲ−ＤＲＣ変換部１３は、図４に示す（ＣＩＲ−ＤＲＣ変換）テーブルを備え、このテーブルに基づいて、予測ＣＩＲをＤＲＣに変換する。このＤＲＣとは、予測ＣＩＲから期待される、当該携帯通信端末において所定の誤り率以下で受信可能な最高通信速度である。
ここで、図４に示したように、ＣＩＲ−ＤＲＣ変換テーブルには、基準ＣＩＲに対応するＤＲＣが定義されている。ＣＩＲ−ＤＲＣ変換部１３は、入力された予測ＣＩＲが基準ＣＩＲであった場合には、そのＣＩＲに対応するＤＲＣをＣＰＵ９へ出力する。一方、予測器１１から入力された予測ＣＩＲが基準ＣＩＲでなかった場合には、入力された予測ＣＩＲに最も近い基準ＣＩＲに対応するＤＲＣを取得するか、又は、入力された予測ＣＩＲに最も近い２値のＣＩＲから補間することにより、補間したＣＩＲに対応するＤＲＣを取得する。
これにより、各予測ＣＩＲに応じたＤＲＣを取得することができ、より正確な受信状態を基地局に対して通知することが可能となる。
【００２８】
上述したように求められたＤＲＣは、ＣＩＲ−ＤＲＣ変換部１３からＣＰＵ９へ出力される。ＤＲＣが入力されると、ＣＰＵ９は、当該携帯通信端末において生成された、又は、外部のＰＣ等２９から外部インタフェース２７を経由して入力された送信データがあるか否かを判断する。そして、送信データがある場合には、ＣＰＵ９は、上述したＤＲＣと共にこの送信データをマルチプレクサ１５へ出力する。一方、送信データがない場合には、ＣＩＲ−ＤＲＣ変換部１３から入力されたＤＲＣをマルチプレクサ（ＭＵＸ；Multiplexer）１５へ出力する。
【００２９】
ＣＰＵ９から出力されたＤＲＣや送信データは、マルチプレクサ１５によって多重化され、符号化器１７によって更に符号化され、変調器１９によって特定の変調方式（例えば、ＱＰＳＫ）により変調され、共用器３及びアンテナ１を経由して基地局へ送信される。基地局では、各携帯通信端末から受信したＤＲＣに基づいて、次のスロットをどの携帯通信端末への送信に使用するか、及びその送信での通信速度(および変調方式)を決定する。
【００３０】
《実施形態》
次に、本発明の実施形態に係る基地局（携帯通信システム）と携帯通信端末間での動作について、フロー図５を参照して説明する。
【００３１】
この図において、まず、携帯通信端末側では、ユーザからの入力操作に基づき、ＣＰＵ９がアプリケーション１を起動する（ステップＳ１００）。なお、以下の説明でのアプリケーションは、いずれも基地局（携帯通信システム）から受信した下りデータを実行（再生等）するためのソフトウェアとする。また、アプリケーションは、起動時にカウンタに１を加算する命令を含んでおり、ＣＰＵ９はその命令に従ってカウンタ２２に１を加算する（ステップＳ１１０）。次に、ＣＰＵ９は所定のタイミングでカウンタ２２の値を基地局に送信する（ステップＳ１２０）。送信タイミングは任意であるが、例えば上述したＤＲＣの送信と同時に行う、つまり上り制御チャンネルを用いるようにすればよい。送信の手順も上記と同様に、マルチプレクサ１５、符号化器１７、変調器１９、共用器３及びアンテナ１を経由して基地局へ送信すればよい。
【００３２】
一方、基地局は、ステップＳ１２０で受信したカウンタ値に基づいてスロットを割当てる（ステップＳ２００）。ここで、基地局は、各スロットに割当てる端末を次式により決定する。
α×ＤＲＣ／Ｒ（Ave）                                        （３）
ここで、Ｒ（Ave）は、各端末が直近１０００スロット分でそれぞれ受信したデータ通信レートの平均値を示す。但し、１０００スロットに満たない場合は、その端末の過去の通信レートの積算値を示す。又、αは、上記ステップＳ１２０で携帯通信端末が送信したカウンタ値である。そして、基地局は、各携帯通信端末から送信されたα、ＤＲＣ、Ｒ（Ave）とに基づき、各端末について式３による値を計算し、最も値の大きい端末にスロットを割当て（スケジューリングし）、下りデータを送信する（ステップＳ２１０）。このようにして、各携帯通信端末におけるアプリケーションの起動状態（タスク数）に応じて、スロットを適切に割当てることができる。
【００３３】
ステップＳ２１０でスロットが割当てられた携帯通信端末は、下りデータを受信する（ステップＳ１３０）。そして、下りデータの受信が終了すると（ステップＳ１４０）、ユーザの指示等に基づき、ＣＰＵ９はアプリケーション１を終了する（ステップＳ１５０）。ここで、アプリケーションは、終了時にカウンタから１を減算する命令を含んでおり、ＣＰＵ９はその命令に従ってカウンタ２２から１を減算する（ステップＳ１６０）。次に、ＣＰＵ９は所定のタイミングでカウンタ２２の値を基地局に送信する（ステップＳ１７０）。
【００３４】
そして、基地局は、ステップＳ１７０で受信したカウンタ値に基づいてスロットを割当てる（ステップＳ２２０）。このように、携帯通信端末でアプリケーションが終了すると、その状態（タスク数）に基づいてスロットの割当てが変更されるので、各端末へのスロットの配分がより適切になる。
【００３５】
次に、図６及び図７を参照して、基地局が複数の携帯通信端末にスロットを割当てる態様について説明する。ここで、図６に示すように、基地局３０が２つの携帯通信端末Ａ、Ｂに下りデータを送信する場合を考える。また、携帯通信端末Ａはアプリケーションを２つ起動しており、カウンタ値２を基地局３０に送信し、携帯通信端末Ｂはアプリケーションを１つ起動しており、カウンタ値１を基地局３０に送信したものとする。そして、これらのカウンタ値に応じて、時間Ｔ１０、Ｔ２、Ｔ４、Ｔ５では携帯通信端末Ａに、時間Ｔ３、Ｔ６では携帯通信端末Ｂにデータを時分割多重で送信するものとする。ここで、下りデータの通信レートは、各端末から送信されるＤＲＣに基づき決定されるが、時間Ｔ１〜Ｔ６の間では両者のＤＲＣが等しいと仮定する。
【００３６】
このような仮定をした場合、各スロットへの各端末Ａ，Ｂの割当ての時間変化は図７に示すようになる。基地局３０が各スロットに割当てる方法については前述の通り、式３に基づいて行われる。その結果、時間Ｔ１において、式３の値は端末Ａの方が端末Ｂの２倍になるので、Ｔ１では端末Ａにスロットが割当てられる。Ｔ２でも同様である。そして、このようにして端末Ａに優先的に下りデータが送信され続けると、その分、端末ＡのＲ（Ave）が大きくなる。つまり、端末Ａの方が端末Ｂに比べて式３の値が小さくなるので、次の時間Ｔ３では端末Ｂにスロットが割当てられ、下りデータが送信されることになる。以下、同様にして、時間Ｔ４、Ｔ５では端末Ａに、Ｔ６では端末Ｂにスロットが割当てられる。このようにして、時間Ｔ１〜Ｔ６の間で、端末Ａと端末Ｂとの割当てスロットの比はおおむね２：１となり、送信されるデータ量もほぼ２：１となる。なお、各端末のＤＲＣが等しくない場合は、割当てスロットの比は各ＤＲＣの値も反映し、上記２：１からずれたものとなる。
【００３７】
次に、携帯通信端末内で、上記アプリケーションの起動数を増減させた場合の割当てスロット数の変化について、図８を参照して説明する。
【００３８】
この図において、携帯通信端末と基地局との処理内容は前記図５と同様であるので説明を省略する。まず、アプリケーションを１つも起動していない場合、カウンタの加減は行われず、カウンタ値は０となる。そして、端末からは値０を基地局に送信し、基地局は前記式３に基づいてスロットへ割当てる端末を決定する。この場合、この端末については、式３による値が０となるので、スロットには他の端末が割当てられることになる。
【００３９】
次に、この端末がアプリケーション１を起動すると、カウンタに１が加算され、カウンタ値は１となる。そして、端末は値１を基地局に送信し、基地局は前記式３に基づいてスロットへ割当てる端末を決定する。さらに、この端末がアプリケーション２を起動すると、カウンタに１が加算され、カウンタ値は２となる。そして、端末は値２を基地局に送信し、基地局は前記式３に基づいて次にスロットへ割当てる端末を決定する。
【００４０】
そして、この端末がアプリケーション２を終了すると、カウンタから１が減算され、カウンタ値は１となる。そして、端末は値１を基地局に送信し、基地局は前記式３に基づいて以後スロットへ割当てる端末を決定する。さらに、この端末がアプリケーション１を終了すると、カウンタから１が減算され、カウンタ値は０となる。そして、端末は値０を基地局に送信する。この場合、この端末については、式３による値が０となるので、スロットには他の端末が割当てられることになる。
【００４１】
このように、アプリケーションの起動状態に応じて端末側が必要とする下りチャンネルのスロット数も変化するが、上記したように、アプリケーションの起動状態をカウント値として基地局に通知し、基地局ではその値に基づいてスロットを割当てる端末を決定するので、アプリケーションの起動状態に応じた適切なスロット配分ができる。なお、アプリケーションを複数起動させた場合とは、例えば電子メールとＷＷＷブラウザを起動し、ダウンロードしたＷｅｂページを閲覧しながら、電子メールを送受信する場合、あるいは、音楽再生ソフトウェアと画像再生ソフトウェアを起動し、ダウンロードした画像を見ながら音楽を聞く場合が該当する。
【００４２】
以上、この発明の実施形態を図面を参照して詳述してきたが、具体的な構成はこの実施形態に限られるものではなく、この発明の要旨を逸脱しない範囲の設計等も含まれる。
【００４３】
例えば、上記各実施形態では１つのアプリケーションの起動、終了に応じてカウンタを１ずつ加減したが、アプリケーションに応じて加減値を変えてもよい。例えば、下りデータ量が多いストリーミング再生ソフトウェアの場合は、カウンタを２．５ずつ加減し、下りデータ量が少ない電子メールソフトウェアの場合は、カウンタを１ずつ加減してもよい。
【００４４】
また、下りデータ実行情報として、アプリケーションの起動、終了を例示したが、これに限らず、例えばユーザが下りデータ量の大小を判断して数値やランク値（「データ量大」など）を携帯通信端末から入力し、その値を下りデータ実行情報として基地局に送信してもよい。さらには、基地局においてスロットを割当る端末を決定する方法についても、上記に限られず、要は下りデータ実行情報をスロット割当に反映するものであれば何であってもよい。例えば、基地局にアクセスしている端末Ｃ、Ｄの下りデータ実行情報（カウント値等）がそれぞれ３と１である場合に、単純にその値に応じてスロットを配分する、つまり、端末ＣとＤのスロット割当て数の比を３：１にしてもよい。
【００４５】
なお、上記した実施形態では、通常のcdma2000 1x-EV DOにおいて、ＴＤＭＡ方式で各スロットに割当てる端末を決定する際に用いる判定式（式１）に、下りデータ実行情報（カウント値）を乗じて（式３）、スロット割当てを行ったが、判定式は式１のものに限られない。
【００４６】
本発明の携帯通信端末としては、いわゆるＣＤＭＡ（符号分割多重接続）方式やＰＤＣ（Personal Digital Cellilar System）方式などの携帯電話機やＰＨＳ（登録商標：Personal Handyphone System）のほか、ＰＤＡ（Personal Digital Assistants：個人用情報機器）と称される携帯型の端末も含むものとする。ここで、ＰＤＡの場合、通信手段を内蔵しているもののほか、外部から通信手段を接続するものであっても、本発明の特徴とする後述の発呼（着呼、通信）処理をＰＤＡ本体で行うものについては本発明に含めるものとする。
【００４７】
【発明の効果】
以上説明したように、本発明によれば、各端末における下りデータ実行情報（アプリケーションの起動状態等）に応じて、基地局から各分割時間毎に下りデータを送信する端末を適切に割当てることができ、下りデータを実行する端末側の利便性が高まる。例えば、必要とする下りデータ量の多い端末には送信時間を長く割当てることができるので、端末のユーザにストレスを与えることがない。一方、必要データ量の少ない端末に割当てる送信時間を短くできるので、基地局の送信能力を無駄なく活用できる。
【図面の簡単な説明】
【図１】  本発明の一実施形態に係る携帯通信システムの概略構成を示すブロック図である。
【図２】  本発明の一実施形態に係る基地局の概略構成を示すブロック図である。
【図３】  本発明の一実施形態に係る携帯通信端末の概略構成を示すブロック図である。
【図４】  ＣＩＲ−ＤＲＣ変換テーブルの一例を示す図である。
【図５】  基地局と携帯通信端末間での処理フローを示した別の図である。
【図６】  基地局から２つの携帯通信端末に下りデータを送信する態様を示す図である。
【図７】  図６において、各端末にスロットを割当てる態様を示す図である。
【図８】  携帯通信端末内でアプリケーションの起動数を増減させた場合の割当てスロット数の変化を説明するための図である。
【図９】  従来の基地局から２つの携帯通信端末に下りデータを送信する態様を示す図である。
【図１０】  図９において、各端末にスロットを割当てる態様を示す図である。
【符号の説明】
３０                基地局
Ａ、Ｂ              （携帯通信）端末
Ｔ１〜Ｔ６          分割時間
【図１】
0004623865.tif 000002
【図２】
0004623865.tif 000003
【図３】
0004623865.tif 000004
【図４】
0004623865.tif 000005
【図５】
0004623865.tif 000006
【図６】
0004623865.tif 000007
【図７】
0004623865.tif 000008
【図８】
0004623865.tif 000009
【図９】
0004623865.tif 000010
【図１０】
0004623865.tif 000011